(57)【要約】      （修正有）【課題】外部フードを不要とした換気構造とすることで、木造住宅の外壁面の外観意匠性をスッキリとしたものに向上させ、外壁面に開口する外気取入口及び外部フードからの雨水などの水滴に起因する外壁の汚れを防止するようにした木造住宅の換気構造を提供する。【解決手段】木造住宅１の外壁部２を構成する外壁板３背部の柱など縦材の外周部に、上下方向に連続する通気空間５を形成し、外壁板３の下端部には、外部に開口する外気取入口６を形成し、外壁板３と通気空間５を介して対面する室内７壁部の上方乃至上下方向の中間部には、通気空間５に連通して室内７に開口する給気口８を形成し、給気口８が開口される室内７には、給気若しくは排気用のファン装置９を設け、ファン装置９の駆動により、外気取入口６から取り入れられた外気が、通気空間５を通り、給気口８から室内７に給気される。【選択図】図１
0003185118.tif 000002
【実用新案登録請求の範囲】
【請求項１】
木造住宅の外壁部を構成する外壁板背部の柱など縦材の外周部には、上下方向に連続する通気空間が形成され、外壁板の下端部には、外部に開口する外気取入口が形成され、外壁板と通気空間を介して対面する室内壁部には、通気空間に連通して室内に開口する給気口が形成され、給気口が開口される室内には、給気若しくは排気用のファン装置が設けられ、
ファン装置の駆動により、外気取入口から取り入れられた外気が、通気空間を通り、給気口から室内に給気されることを特徴とする木造住宅の換気構造。
【請求項２】
木造住宅の外壁部を構成する外壁板背面の柱など縦材の外周部には、上下方向に連続する通気空間が形成され、外壁板の下端部には、外部に開口する外気取入口が形成され、外壁板と通気空間を介して対面する室内壁部には、通気空間に連通して室内に開口する給気口が形成され、給気口が形成される柱など縦材の側部には、下向き傾斜状に通気パイプが固定され、該通気パイプの上方側となる一端開口が給気口に連通され、通気パイプの下方側となる他端開口が通気空間にかけて下向き傾斜状に突出し、給気口が開口される室内には、給気若しくは排気用のファン装置が設けられ、
ファン装置の駆動により、外気取入口から取り入れられた外気が、通気空間を通り、通気パイプを介して給気口から室内に給気されることを特徴とする木造住宅の換気構造。
【請求項３】
前記外壁板の下端部に形成される前記外気取入口は、外壁板の下縁部に沿って形成されるスリット状であり、前記通気空間は、前記外壁部を構成する外壁板背面に縦方向に設けられる柱など複数の縦材に沿って形成されていることを特徴とする請求項１又は２に記載の木造住宅の換気構造．
【請求項４】
前記通気パイプの、前記通気空間にかけて下方傾斜方向の下端開口の外周には、フランジ板が突出形成され、通気パイプの下端面の上部は、フランジ板の外面から下方向に円形庇状に突出する庇部とされていることを特徴とする請求項２又は３に記載の木造住宅の換気構造。
【請求項５】
前記フランジ板の側部には、前記通気パイプの側壁面に沿って略直角方向に固定片部が形成され、該固定片部が、前記柱などの側面に固定されることにより、通気パイプが前記給気口に接続固定されていることを特徴とする請求項４に記載の木造住宅の換気構造。
【考案の詳細な説明】
【技術分野】
【０００１】
本考案は、外気を室内に給気させるようにした木造住宅の換気構造に関する。
【背景技術】
【０００２】
建築基準法によって、２４時間換気システムの設置が義務化されている。
このような、２４時間換気システムに対応する換気構造として、例えば、下記特許文献１に記載の換気装置および換気方法が提案されている。
【先行技術文献】
【特許文献】
【０００３】
【特許文献１】特開２００６−９７９５９号公報
【考案の概要】
【考案が解決しようとする課題】
【０００４】
上記のような換気システムに対応する換気構造では、一般的に、図７に示すように、木造住宅１０１の部屋ごとの外壁面に、室内の給気ファン装置１０９に対応する略円形状の外気取入口１０６の外面開口が開口され、該開口を覆うように、外部フード１１６が設置されている。このような、外部フード１１６が、木造住宅の外観意匠性の阻害や外壁の汚れに繋がっていた。
【０００５】
本考案は、以上の点に鑑み、上記従来の外部フードを不要とした換気構造とすることにより、木造住宅の外壁面の外観意匠性をスッキリとしたものに向上させ、上記従来の外壁面に開口する外気取入口及び外部フードからの雨水などの水滴に起因する外壁の汚れを防止するようにした木造住宅の換気構造を提供することを第１の目的とする。
【０００６】
さらに、本考案では、外気の取り入れに伴う、雨水など水滴の室内への浸入を阻止することを第２の目的としている。
【課題を解決するための手段】
【０００７】
前記目的を達成するための手段を、図の実施形態を参照して説明する。
請求項１の考案は、木造住宅１の外壁部２を構成する外壁板３背部の柱１５など縦材の外周部には、上下方向に連続する通気空間５が形成され、外壁板３の下端部には、外部に開口する外気取入口６が形成され、外壁板３と通気空間５を介して対面する室内７壁部の上方乃至上下方向の中間部には、通気空間５に連通して室内７に開口する給気口８が形成され、給気口８が開口される室内７には、給気若しくは排気用のファン装置９が設けられている。
本考案は、ファン装置９の駆動により、外気取入口６から取り入れられた外気が、通気空間５を通り、給気口８から室内７に給気されることを特徴とする木造住宅１の換気構造である。
【０００８】
上記の換気構造において、室内７のファン装置９を駆動することにより、木造住宅１の外壁部２を構成する外壁板４下端部の外気取入口６から外気が取り入れられ、外壁部２内の通気空間５を通って、室内７に開口する給気口８から給気される。また、ファン装置９の逆駆動により、室内７の内気は、通気空間５を通って、外気取入口６から排気される。  従って、本考案では、外壁部２の外面には、室内への外気取入口及び外部フードは存在しない。
【０００９】
請求項２の考案は、上記請求項１の構成において、給気口８が形成される柱１５など縦材の側部における通気空間５にかけて、下向き傾斜状に通気パイプ１０が固定され、該通気パイプ１０の上方側となる一端開口が給気口８に連通され、通気パイプ１０の下方側となる他端開口が通気空間５にかけて下向き傾斜状に突出する。
ファン装置９の正逆駆動により、外気取入口６から取り入れられ（又は排出され）た外気（又は内気）が、通気空間５を通り、通気パイプ１０を介して給気口８から室内７に給気（又は室内７から排気）されることを特徴とする。
【００１０】
上記の換気構造によれば、通気パイフ゜１０の存在により、室内７への給気又は排気が促進され、外気に含まれる雨水などの水滴の室内７への流入が阻止される。
【００１１】
請求項３では、前記外壁板３の下端部に形成される前記外気取入口６は、外壁板２の下縁部に沿って形成されるスリット状であり、前記通気空間５は、前記外壁部２を構成する外壁板３背面に縦方向に設けられる柱１５など複数の縦材に沿って形成されていることを特徴とする。
【００１２】
上記の換気構造により、室内７への給気又は排気流がスムーズとなる。
【００１３】
請求項４では、前記通気パイプ１０の、前記通気空間５にかけて下方傾斜方向の下端開口の外周には、フランジ板１１が突出形成され、通気パイプ１０の下端面の上部は、フランジ板１１の外面から下方向に円形庇状に突出する庇部１０ａとされていることを特徴とする。
【００１４】
上記の換気構造により、通気パイフ゜１０の外壁面に沿って流がれる外気中の水滴が、フランジ板１１及び庇部１０ａによって阻止され、室内７への浸入が防止される。
【００１５】
請求項５では、前記フランジ板１１の側部には、前記通気パイプ１０の側壁面に沿って略直角方向に固定片部１２が形成され、該固定片部１２が、前記柱１５などの側面に固定されることにより、通気パイプ１０が前記給気口８に接続固定されていることを特徴とする。
【００１６】
上記の換気構造では、通気パイフ゜10の取付け固定が強固となり、その固定作業も容易  
【考案の効果】
【００１７】
請求項１の考案では、ファン装置９の正逆駆動により、木造住宅１の外壁部２を構成する外壁板４下端部の外気取入口６から外気が取り入れられ、外壁部２内の通気空間５を通って、室内７に開口する給気口８から給気され、又は、排気される。
従って、本考案では、外壁部２の外面には、室内への外気取入口及び外部フードは存在せず、木造住宅の外壁面の外観意匠性がスッキリとしたものに向上し、従来の外壁面に開口する外気取入口及び外部フードに起因する雨垂れなどによる外壁の汚れが防止される。
【００１８】
請求項２の考案では、通気パイプ１０の存在により、室内７への給気又は排気が促進され、外気に含まれる雨水などの水分の室内７への流入が阻止されることになる。
【００１９】
請求項３の考案では、室内７への外気の給気又は排気流がスムーズとなる。
【００２０】
請求項４の考案では、通気パイプ１０の外壁面に沿って流がれる外気中の水滴が、フランジ板１１及び庇部１０ａによって、阻止され、室内 7への浸入が防止される。
【００２１】
請求項５の考案では、通気パイフ゜１０の取付け固定が強固となり、その固定作業性も向上する。
【図面の簡単な説明】
【００２２】
【図１】本考案にかかる換気構造を有する木造住宅の要部の断面図である。
【図２】同要部の拡大断面図である。
【図３】同要部の外観図である。
【図４】同給気口部分の拡大断面図である。
【図５】同通気パイプの拡大斜視図（Ａ）、正面図（Ｂ）、側面図（Ｃ）である。
【図６】同通気パイプの取付け状態を示す拡大図である。
【図７】従来の換気構造を有する木造住宅の要部の断面図である。
【考案を実施するための形態】
【００２３】
以下、本考案を適用した実施の形態例を図１〜図６を参照して説明する。
実施の形態に係る換気構造を有する木造住宅１では、図１に示すように、その木造住宅１の外壁部２が、間隔をおいて対向する外壁板３と柱１５とにより形成され、外壁板４と柱１５との間には上下方向に連続する通気空間５が形成され、外壁板３の下端部には外部に開口する外気取入口６が形成されている。通気空間５の上方乃至上下方向の中間部には室内７に開口する給気口８が形成されている。給気口８は、室内７の石コウボードにより形成される内壁板４を通して室内７に開口される。給気口８が開口される室内 7には、給気若しくは排気用のファン装置９が設けられている。
上記給気口８は、木造住宅１の１階の室内７、又は、２階など多層階の室内７に開口されていても良い。
【００２４】
上記給気口８が形成される通気空間５内には、図２乃至図４に示すように、通気空間５にかけて下向き傾斜状に通気パイフ゜１０が固定され、該通気パイフ゜１０の上方側となるー端開口が給気口８に連通され、通気パイフ゜１０の下方向となる他端開口が通気空問５にかけて下向き傾斜状に突出する。
ファン装置９の正逆駆動により、外気取入口６から取り入れられ（又は排出され）た外気（又は内気）が、通気空間５を通り、通気パイフ゜１０を介して給気口８から室内７に給気（又は室内７から排気）される。
【００２５】
上記外壁板３の下端部に形成される外気取入口６は、外壁板３の下縁部に沿って、外壁板３の下縁部と土台１４との間にスリット状に形成されている。
外壁部２を形成する外壁板３と内壁板４とは、士台１４上に立設される柱１５間に設けられる。左右の柱１５の外には、１本又は複数本の縦胴縁１３による縦材が設けられ、柱１５に内壁板４が固定され、縦胴縁１３に沿って、外壁板３と柱１５との間に、縦胴縁１３によって生じる縦方向に連続して通気空問 5が形成されている。
【００２６】
上記通気パイフ゜１０の、通気空問５内における下方傾斜方向の下端開口の外周には、矩形状のフランジ板１１が突出形成されている。通気パイプ１０の下端面の上部は、フランジ板１１の外面から下方向に円形庇状に突出して、庇部１０ａとされている。
【００２７】
図６に示すように、フランジ板１１の両側部には、通気パイプ１０の側壁面方向に略直角方向に、固定片部１２を形成させることができる。該固定片部１２は、図６に示すように、柱１５の側面と、添木１７に釘などの固定部材により固定させることにより、通気パイフ゜１０を前記給気口８に接続固定させる。
【００２８】
通気パイフ゜１０を、金具などにより、直接的に柱１５に接続固定させることができ、その場合には、添木 17 や固定部材は、不要である。
【００２９】
上記の換気構造において、室内７のファン装置９を駆動することにより、木造住宅１の外壁部２を構成する外壁板４下端部のスリット状の外気取入口６から外気が取り入れられ、外壁部２内の通気空間５を通って、室内７に開口する給気口８から給気される。また、ファン装置９の逆駆動により、室内７の内気は、通気空間５を通って、外気取入口６から排気される。
従って、本考案では、外壁部２の外面には、室内７への外気取入口及び外部フードは存在しない。
【００３０】
上記の換気構造によれば、通気パイフ゜１０の存在により、室内７への給気又は排気が促進され、外気に含まれる雨水などの水滴の室内７への流入が阻止される。
【００３１】
さらに、通気パイフ゜１０の、前記通気空間５内における下方傾斜方向の下端開口の、少なくとも上部の外周に突出形成されたフランジ板１１及び庇部１０ａの存在により、上記外気に含まれる雨水などの水滴の室内７への流入が有効に阻止されことが、実験により確認されている。
【符号の説明】
【００３２】
１，１０１  木造住宅
２  外壁部
３  外壁板
４  内壁板
５  通気空間
６，１０６    外気取入口
７  室内
８  給気口
６，１０９  ファン装置
１０  通気パイプ，１０ａ  庇部
１１  フランジ板
１２  固定片部
１３  縦胴縁
１４  土台
１５  柱
１７  添え木
１１６    外部フート
【図１】
0003185118.tif 000003
【図２】
0003185118.tif 000004
【図３】
0003185118.tif 000005
【図４】
0003185118.tif 000006
【図５】
0003185118.tif 000007
【図６】
0003185118.tif 000008
【図７】
0003185118.tif 000009